(57)【要約】【課題】被覆材を自動的に開閉でき、作業者の作業負担を軽減できる一方で、必要に応じて容易に取り付け位置を変更可能とする。【解決手段】  園芸用トンネル１００の被覆材１２０の裾部１２１に係合する係合部２１ａを備えた開閉部材２０を有し、駆動部材３０によって該開閉部材２０の係合部２１ａが上下に自動的に回動する構成とする。被覆材１２０を裾部１２１からたくし上げて開放可能であり、被覆材１２０の裾部１２１と係合部２１ａとを密着固定する必要はない。従って、作業者の作業負担を軽減できると共に、必要に応じて容易に取り付け位置を変更可能であり、数十メートルから百数十メートルの長さを備えた園芸用トンネルの換気装置として適する。【選択図】  図１
2004254689.tif 000002
【特許請求の範囲】
【請求項１】
トンネル支柱によって支持された被覆材の一部を開口させ換気する園芸用トンネルの換気装置であって、
前記被覆材の裾部に係合される係合部を備え、基端部を中心として該係合部が上下方向に回動可能に支持され、前記被覆材を裾部からたくし上げて開放可能な開閉部材と、
前記開閉部材に連結され、前記開閉部材を回動させる駆動部材とを具備することを特徴とする園芸用トンネルの換気装置。
【請求項２】
前記開閉部材は、前記係合部の上下方向に回動する際の圃場面に対する傾斜角度が、前記トンネル支柱のうち、被覆材の開閉範囲を支持する部位の圃場面に対する傾斜角度よりも緩やかに設定されていることを特徴とする請求項１記載の園芸用トンネルの換気装置。
【請求項３】
前記駆動部材が、前記開閉部材に取り外し可能に連結されていることを特徴とする園芸用トンネルの換気装置。
【請求項４】
前記駆動部材を前記開閉部材から取り外した状態で、前記開閉部材を開放状態で維持できる手動用固定部材を備えていることを特徴とする請求項３記載の園芸用トンネルの換気装置。
【請求項５】
前記駆動部材が、シリンダとピストンとを備えてなり、一方が前記開閉部材に連結され、他方が任意の不動部に連結され、直線的な伸縮動作によって、前記開閉部材を回動させる構造であることを特徴とする請求項１〜４のいずれか１に記載の園芸用トンネルの換気装置。
【請求項６】
前記駆動部材の有効伸張長さを調整可能とすることにより、前記開閉部材の回動量を調整可能であることを特徴とする請求項５記載の園芸用トンネルの換気装置。
【請求項７】
前記駆動部材は、温度に対応して体積変化する駆動材料が、前記駆動部材を構成するシリンダ内に充填されてなり、
前記駆動材料が温度変化に追随して膨張又は収縮することにより、前記ピストンとシリンダとの相対位置が変化して伸縮する構造であることを特徴とする請求項５又は６記載の園芸用トンネルの換気装置。
【請求項８】
前記開閉部材は、先端に前記係合部を備え、後部に、前記駆動部材の配設方向に対して２辺が略直交するように屈曲形成された屈曲部を備えた棒状部材からなり、
前記屈曲部を構成する２辺は、配設時に相対的に上部に位置する上辺部と下部に位置する下辺部とからなり、上辺部に、前記駆動部材が連結され、下辺部が、任意の支持部材に軸支されて前記基端部を構成し、
前記駆動部材の伸縮動作に伴って、前記上辺部を付勢することにより、基端部を構成する前記下辺部を中心として前記係合部が上下方向に回動する構造であることを特徴とする請求項１〜７のいずれか１に記載の園芸用トンネルの換気装置。
【請求項９】
前記開閉部材は、直線部と、２辺が前記直線部に略直交するように屈曲形成された屈曲部とを備え、該屈曲部が直線部の後部に一体に形成された棒状部材からなることを特徴とする請求項８記載の園芸用トンネルの換気装置。
【請求項１０】
園芸用トンネル内に配設した支持部材に前記開閉部材の下辺部が軸支されており、
前記駆動部材を構成するシリンダとピストンとのうちの一方が前記開閉部材の上辺部に連結され、他方がトンネル支柱の基部付近に設けられた取り付けプレートに、揺動可能な遊びをもって連結されていることを特徴とする請求項８又は９記載の園芸用トンネルの換気装置。
【請求項１１】
前記駆動部材を構成するシリンダとピストンとのうち、前記取り付けプレートに連結される部位に、取り付けプレートの内側で螺合する調整ねじを備え、該調整ねじをシリンダ又はピストンに沿って移動させることにより、前記駆動部材の伸張時において、該調整ねじが取り付けプレートの内側に当接した後、前記開閉部材の係合部が上方向に回動する構成として、前記駆動部材の有効伸張長さを調整可能としたことを特徴とする請求項１０記載の園芸用トンネルの換気装置。
【請求項１２】
前記駆動部材は、シリンダとピストンのうちの一方の端部に、軸方向に対して直交する方向に設けた軸部材を中心として上下に回動可能に設けられ、
前記開閉部材は、前記駆動部材を構成するシリンダとピストンのうちの他方が連結される連結部を、被覆材の閉鎖時において係合部の下端部よりも上方に備えた構造を有し、前記駆動部材に設けた軸部材よりも上方位置に基端部が軸支されて配設され、
前記駆動部材の伸縮動作に伴って、前記連結部を付勢することにより、基端部を中心として前記係合部が上下方向に回動する構造であることを特徴とする請求項１〜７のいずれか１に記載の園芸用トンネルの換気装置。
【請求項１３】
前記開閉部材は、直線部と、該直線部の後部に一体に形成され、直線部に略直交する方向に屈曲された基端部と、該直線部の前部に一体に形成され、前記直線部に略直交する方向に伸びる連結部と、被覆材の閉鎖時において下端部が該連結部の下方に位置するように屈曲形成されて設けられる係合部とを備えた棒状部材からなることを特徴とする請求項１２記載の園芸用トンネルの換気装置。
【請求項１４】
前記開閉部材の基端部と、前記駆動部材のシリンダとピストンのうちの一方の端部に設けられる軸部材とが、園芸用トンネル内に配設した支持部材に回動可能に支持されることを特徴とする請求項１２又は１３記載の園芸用トンネルの換気装置。
【請求項１５】
前記開閉部材の基端部と、前記駆動部材のシリンダとピストンのうちの一方の端部に設けられる軸部材とが、園芸用トンネル外であって被覆材の裾部に隣接して配設した支持部材に回動可能に支持され、前記駆動部材及び開閉部材が園芸用トンネルの長手方向に沿って設けられることを特徴とする請求項１２又は１３記載の園芸用トンネルの換気装置。
【請求項１６】
前記駆動部材を構成するシリンダとピストンとのうち、前記軸部材の内側で螺合する調整ねじを備え、該調整ねじをシリンダ又はピストンに沿って移動させることにより、前記駆動部材の伸張時において、該調整ねじが軸部材の内側に当接した後、前記開閉部材の係合部が上方向に回動する構成として、前記駆動部材の有効伸張長さを調整可能としたことを特徴とする請求項１２〜１５のいずれか１に記載の園芸用トンネルの換気装置。
【請求項１７】
トンネル支柱と、該トンネル支柱によって支持された被覆材とを備えた園芸用トンネルであって、
請求項１〜１６のいずれか１に記載の換気装置が設けられていることを特徴とする園芸用トンネル。
【発明の詳細な説明】
【技術分野】
【０００１】
本発明は、トンネル栽培で使用される園芸用トンネルの換気装置、及び該換気装置を具備した園芸用トンネルに関する。
【背景技術】
【０００２】
トンネル栽培において、園芸用トンネルの換気を行う場合、通常、その被覆材の裾部を上方にたくし上げ、作業者が手作業で行うのが一般である。園芸用トンネルは、裾部が圃場面に接するように設けられるため、上記した換気作業を行うに当たっては、長時間の中腰姿勢を強いられ、労働負担が大きいと共に、園芸用トンネルの長手方向に沿って所定間隔で裾部をたくし上げるため、作業時間も長い。
【０００３】
かかる観点に鑑み、作業者の労働負担、時間的負荷を軽減するため、特許文献１には、温度変化に追随させて自動的に換気を行う装置が提案されている。低温時に展伸状態となり、高温時に渦巻状態となる形態が記憶された形状記憶合金からなる引上部材を、被覆材の内面に、その裾部から上方に向かって沿わせて配置した構造である。かかる装置によれば、高温時には、引上部材が渦巻き状になるため、被覆材を該引上部材に巻き込みながら、巻き上げていき、圃場面との間に開口部を形成し、換気を行うことができる。低温時には、引上部材が展伸するため、該引上部材に巻き込まれた被覆材が巻き戻されていく。
【特許文献１】特開平１０−９８９５２号公報
【発明の開示】
【発明が解決しようとする課題】
【０００４】
上記した装置は、引上部材によって被覆材を巻き付けながら開閉する構成であることから、被覆材を確実に巻き付けるために、引上部材の下端を、被覆材の裾部に止着部材を介して密着固定する必要がある。園芸用トンネルは、通常、数十メートルから百数十メートルの長さで設けられるため、栽培期間中には、引上部材の取り付け位置を変更したい場合もある。しかしながら、特許文献１の換気装置は、引上部材を止着部材を介して被覆材に固定してしまうため、一旦取り付けた後は、容易に取り付け位置を変更することはできない。
【０００５】
また、園芸用トンネルを形成するトンネル支柱は、アーチ型に形成されている。従って、特許文献１の引上部材が渦巻き状になって被覆材が巻き込まれる際には、該被覆材はアーチ型のトンネル支柱の傾斜に沿ってしか巻き上げることができない。このため、巻き上げ状態における開口部の平面積は、当該部分に被覆材を全く配設しない状態と同じであり、降雨時においては、引上部材が低温状態となるまで、広範囲に亘り、園芸用トンネル内の作物が雨に曝される。
【０００６】
また、引上部材が被覆材内面に沿って配設されているため、巻き上げ状態でかかる引上部材を取り外すことは不可能である。従って、急な降雨時において、迅速に開口部を閉めたい場合でも、引上部材が低温となって展伸するまで待たなければならず、実用性に欠ける。無理矢理巻き戻したとしても、引上部材の弾性により、完全に閉めることはできない。また、実際の現場においては、予めトンネル内温度が上昇する前に、被覆材を手作業によって開口しておきたい場合もある。しかしながら、特許文献１で開示されたものでは、引上部材が被覆材内面に沿って配設されているため、これを取り外すことは容易ではなく、被覆材を開口するには、引上部材の形態が変化可能な温度に至るまで待つ必要があり、これらの要請に対応することはできない。
【０００７】
また、引上部材として、所定の温度で渦巻状態となる形状記憶合金を用いているため、被覆材の開口量は常に温度に依存する。このため、栽培する作物の種類や季節等に応じて開口量を任意に調整することは困難である。
【０００８】
本発明は上記に鑑みなされたものであり、被覆材を自動的に開閉でき、作業者の作業負担を軽減できると共に、必要に応じて容易に取り付け位置を変更可能な園芸用トンネルの換気装置及び該換気装置を具備した園芸用トンネルを提供することを課題とする。また、本発明は、換気時において降雨等があった場合でも、開口状態で、ある程度の雨等の浸入を防ぐことができる園芸用トンネルの換気装置及び該換気装置を具備した園芸用トンネルを提供することを課題とする。また、本発明は、急な降雨等に対応して、迅速かつ容易に被覆材を閉じることができ、また、温度変化に拘わらず、必要に応じて容易に手作業で開口することもできる園芸用トンネルの換気装置及び該換気装置を具備した園芸用トンネルを提供することを課題とする。また、本発明は、温度変化に追随して駆動する駆動部材を用いたとしても、被覆材の開口量を、温度に依存することなく、適宜に調整可能な園芸用トンネルの換気装置及び該換気装置を具備した園芸用トンネルを提供することを課題とする。
【課題を解決するための手段】
【０００９】
上記した課題を解決するため、請求項１記載の本発明では、トンネル支柱によって支持された被覆材の一部を開口させ換気する園芸用トンネルの換気装置であって、
前記被覆材の裾部に係合される係合部を備え、基端部を中心として該係合部が上下方向に回動可能に支持され、前記被覆材を裾部からたくし上げて開放可能な開閉部材と、
前記開閉部材に連結され、前記開閉部材を回動させる駆動部材とを具備することを特徴とする園芸用トンネルの換気装置を提供する。
請求項２記載の本発明では、前記開閉部材は、前記係合部の上下方向に回動する際の圃場面に対する傾斜角度が、前記トンネル支柱のうち、被覆材の開閉範囲を支持する部位の圃場面に対する傾斜角度よりも緩やかに設定されていることを特徴とする請求項１記載の園芸用トンネルの換気装置を提供する。
請求項３記載の本発明では、前記駆動部材が、前記開閉部材に取り外し可能に連結されていることを特徴とする園芸用トンネルの換気装置を提供する。
請求項４記載の本発明では、前記駆動部材を前記開閉部材から取り外した状態で、前記開閉部材を開放状態で維持できる手動用固定部材を備えていることを特徴とする請求項３記載の園芸用トンネルの換気装置を提供する。
請求項５記載の本発明では、前記駆動部材が、シリンダとピストンとを備えてなり、一方が前記開閉部材に連結され、他方が任意の不動部に連結され、直線的な伸縮動作によって、前記開閉部材を回動させる構造であることを特徴とする請求項１〜４のいずれか１に記載の園芸用トンネルの換気装置を提供する。
請求項６記載の本発明では、前記駆動部材の有効伸張長さを調整可能とすることにより、前記開閉部材の回動量を調整可能であることを特徴とする請求項５記載の園芸用トンネルの換気装置を提供する。
請求項７記載の本発明では、前記駆動部材は、温度に対応して体積変化する駆動材料が、前記駆動部材を構成するシリンダ内に充填されてなり、
前記駆動材料が温度変化に追随して膨張又は収縮することにより、前記ピストンとシリンダとの相対位置が変化して伸縮する構造であることを特徴とする請求項５又は６記載の園芸用トンネルの換気装置を提供する。
請求項８記載の本発明では、前記開閉部材は、先端に前記係合部を備え、後部に、前記駆動部材の配設方向に対して２辺が略直交するように屈曲形成された屈曲部を備えた棒状部材からなり、
前記屈曲部を構成する２辺は、配設時に相対的に上部に位置する上辺部と下部に位置する下辺部とからなり、上辺部に、前記駆動部材が連結され、下辺部が、任意の支持部材に軸支されて前記基端部を構成し、
前記駆動部材の伸縮動作に伴って、前記上辺部を付勢することにより、基端部を構成する前記下辺部を中心として前記係合部が上下方向に回動する構造であることを特徴とする請求項１〜７のいずれか１に記載の園芸用トンネルの換気装置を提供する。
請求項９記載の本発明では、前記開閉部材は、直線部と、２辺が前記直線部に略直交するように屈曲形成された屈曲部とを備え、該屈曲部が直線部の後部に一体に形成された棒状部材からなることを特徴とする請求項８記載の園芸用トンネルの換気装置を提供する。
請求項１０記載の本発明では、園芸用トンネル内に配設した支持部材に前記開閉部材の下辺部が軸支されており、
前記駆動部材を構成するシリンダとピストンとのうちの一方が前記開閉部材の上辺部に連結され、他方がトンネル支柱の基部付近に設けられた取り付けプレートに、揺動可能な遊びをもって連結されていることを特徴とする請求項８又は９記載の園芸用トンネルの換気装置を提供する。
請求項１１記載の本発明では、前記駆動部材を構成するシリンダとピストンとのうち、前記取り付けプレートに連結される部位に、取り付けプレートの内側で螺合する調整ねじを備え、該調整ねじをシリンダ又はピストンに沿って移動させることにより、前記駆動部材の伸張時において、該調整ねじが取り付けプレートの内側に当接した後、前記開閉部材の係合部が上方向に回動する構成として、前記駆動部材の有効伸張長さを調整可能としたことを特徴とする請求項１０記載の園芸用トンネルの換気装置を提供する。
請求項１２記載の本発明では、前記駆動部材は、シリンダとピストンのうちの一方の端部に、軸方向に対して直交する方向に設けた軸部材を中心として上下に回動可能に設けられ、
前記開閉部材は、前記駆動部材を構成するシリンダとピストンのうちの他方が連結される連結部を、被覆材の閉鎖時において係合部の下端部よりも上方に備えた構造を有し、前記駆動部材に設けた軸部材よりも上方位置に基端部が軸支されて配設され、
前記駆動部材の伸縮動作に伴って、前記連結部を付勢することにより、基端部を中心として前記係合部が上下方向に回動する構造であることを特徴とする請求項１〜７のいずれか１に記載の園芸用トンネルの換気装置を提供する。
請求項１３記載の本発明では、前記開閉部材は、直線部と、該直線部の後部に一体に形成され、直線部に略直交する方向に屈曲された基端部と、該直線部の前部に一体に形成され、前記直線部に略直交する方向に伸びる連結部と、被覆材の閉鎖時において下端部が該連結部の下方に位置するように屈曲形成されて設けられる係合部とを備えた棒状部材からなることを特徴とする請求項１２記載の園芸用トンネルの換気装置を提供する。
請求項１４記載の本発明では、前記開閉部材の基端部と、前記駆動部材のシリンダとピストンのうちの一方の端部に設けられる軸部材とが、園芸用トンネル内に配設した支持部材に回動可能に支持されることを特徴とする請求項１２又は１３記載の園芸用トンネルの換気装置を提供する。
請求項１５記載の本発明では、前記開閉部材の基端部と、前記駆動部材のシリンダとピストンのうちの一方の端部に設けられる軸部材とが、園芸用トンネル外であって被覆材の裾部に隣接して配設した支持部材に回動可能に支持され、前記駆動部材及び開閉部材が園芸用トンネルの長手方向に沿って設けられることを特徴とする請求項１２又は１３記載の園芸用トンネルの換気装置を提供する。
請求項１６記載の本発明では、前記駆動部材を構成するシリンダとピストンとのうち、前記軸部材の内側で螺合する調整ねじを備え、該調整ねじをシリンダ又はピストンに沿って移動させることにより、前記駆動部材の伸張時において、該調整ねじが軸部材の内側に当接した後、前記開閉部材の係合部が上方向に回動する構成として、前記駆動部材の有効伸張長さを調整可能としたことを特徴とする請求項１２〜１５のいずれか１に記載の園芸用トンネルの換気装置を提供する。
請求項１７記載の本発明では、トンネル支柱と、該トンネル支柱によって支持された被覆材とを備えた園芸用トンネルであって、
請求項１〜１６のいずれか１に記載の換気装置が設けられていることを特徴とする園芸用トンネルを提供する。
【発明の効果】
【００１０】
本発明によれば、園芸用トンネルの被覆材の裾部に係合する係合部を備えた開閉部材を有し、駆動部材によって該開閉部材の係合部が上下に自動的に回動する構成であるため、被覆材を裾部からたくし上げて開放可能であり、被覆材の裾部と係合部とを密着固定する必要はない。従って、作業者の作業負担を軽減できると共に、必要に応じて容易に取り付け位置を変更可能であり、数十メートルから百数十メートルの長さを備えた園芸用トンネルの換気装置として適する。
【００１１】
また、開閉部材の係合部の上下方向に回動する際の圃場面に対する傾斜角度を、トンネル支柱のうち、被覆材の開閉範囲を支持する部位の圃場面に対する傾斜角度よりも緩やかに設定した構成とすることにより、たくし上げられた被覆材がひさしの役目を果たし、換気時において降雨等があった場合でも、開口状態のまま、ある程度の雨等の浸入を防ぐことができる。
【００１２】
また、駆動部材を、開閉部材に取り外し可能に連結した構成とすることにより、急な降雨等に対応して、迅速かつ容易に被覆材を手作業で閉じることができ、また、温度変化に拘わらず、必要に応じて容易に手作業で開口することもでき、実用性に優れる。
【００１３】
また、駆動部材の有効伸張長さを調整可能として、開閉部材の回動量を調整できる構成とすることにより、温度変化に追随して駆動する駆動部材を用いたとしても、被覆材の実質的な開口量を、温度に依存することなく、栽培する植物や季節等に応じて、適宜に調整することができ、さらに実用性に優れた換気装置及び園芸用トンネルを提供できる。
【発明を実施するための最良の形態】
【００１４】
以下、図面に示した実施の形態に基づき本発明をさらに詳細に説明する。図１及び図２は、本実施形態にかかる換気装置１を園芸用トンネル１００に配設した状態を示す図である。この図に示したように、本実施形態の換気装置１は、支持部材１０に支持される開閉部材２０と、駆動部材３０とを有して構成される。
【００１５】
支持部材１０は、開閉部材２０を、基端部を中心として回動可能に支持するものであればよい。従って、その形状及び構造は何ら限定されるものではないが、本実施形態においては、パイプ材を略く字状に曲成し、図１及び図２に示したように、その一端を、園芸用トンネル１００を構成するアーチ型のトンネル支柱１１０の天井部付近に取り付け金具１１を介して連結し、他端をトンネル支柱１１０の一方の基部付近に取り付け金具１２を介して連結して、園芸用トンネル１００内に配設している。なお、この取り付け金具１１，１２は、図３〜図５に示したように、例えば、略Ｕ字状に形成し、トンネル支柱１１０に取り外し可能に連結できる構造とすることが好ましい。園芸用トンネル１００は、数十メートルから百数十メートルの長さを有するが、かかる構成とすれば、必要とする箇所に、容易に設置できる。
【００１６】
開閉部材２０は、図３〜図５に示したように、直線部２１とその後部に形成された略コ字状の屈曲部２２とを備えた棒状部材から形成される。直線部２１の先端には、園芸用トンネル１００を構成する被覆材１２０の裾部１２１に係合する略Ｕ字状に曲成された係合部２１ａが形成されている（図１参照）。略コ字状の屈曲部２２は、対向する２辺が直線部２１に対して略直交する方向に伸びるように屈曲されている。具体的には、直線部２１の後部から横方向に略直交するように外方に向かって伸びる上辺部２２ａと、該上辺部２２ａに対して斜め下方に伸びる斜辺部２２ｂと、斜辺部２２ｂに対して横方向に略直交するように内方に向かって伸びる下辺部２２ｃとを備えた形状である。開閉部材２０は、該下辺部２２ｃを、上記した支持部材１０を構成するパイプ材に直径方向に貫通させて軸支される。従って、係合部２１ａを被覆材１２０の裾部１２１に係合させ、直線部２１が園芸用トンネル１００内に伸びるように配置することにより、該下辺部２２ｃが基端部となり、該下辺部２２ｃを中心として、係合部２１ａが上下方向に回動可能に支持され、該係合部２１ａにより、被覆材１２０はその裾部１２１からたくし上げられる。
【００１７】
本実施形態においては、このように係合部２１ａの回動によって、被覆材１２０をその裾部１２１からたくし上げていく構成であり、係合部２１ａを被覆材１２０の裾部１２１に密着固定する必要がない。従って、本実施形態の換気装置１の取り付け位置を変更したい場合には、上記のように支持部材１０を取り外すと共に、該係合部２１ａを被覆材１２０の裾部１２１から取り外すだけで済み、容易に取り付け位置を変更することができる。
【００１８】
開閉部材２０は、被覆材１２０の裾部１２１に係合する係合部２１ａを備え、基端部を中心として回動可能に支持されていればよく、その形状は図面に示したものに限定されるものではない。本実施形態のように、直線方向に伸縮動作する駆動部材３０を用いた場合には、該駆動部材３０の伸縮動作を、係合部２１ａが上下方向に回動する回転運動に変換する必要があるため、略コ字状の屈曲部２２を形成し、後述のように、配設時に相対的に上部に位置する上辺部２２ａに駆動部材３０を連結し、該屈曲部２２をクランク機構として利用しているが、屈曲部２２の形状は、このような機能を備える限り、略Ｚ字状等の形状とすることもできる。支持部材１０の配設位置等との関係から、適宜の形状のものを選択可能である。
【００１９】
ここで、開閉部材２０の直線部２１の長さ、基端部となる下辺部２２ｃの支持部材１０への軸支位置等は、図７に示したように、係合部２１ａが回動した際の軌跡を、圃場面（ＧＬ）に対する該軌跡の接線までの傾斜角度（θ１）で表した場合に、被覆材１２０の開閉範囲を支持する部位のトンネル支柱１１０の接線と圃場面（ＧＬ）とのなす傾斜角度（θ２）よりも緩やかとなるように選択されることが好ましい。本実施形態においては、係合部２１ａが上方向に回動する際には、被覆材１２０は、裾部１２１から順にたくし上げられ、巻き上がるものではない。上記した従来の装置のように、被覆材１２０を裾部１２１から巻き上げる構成の場合には、巻き上げ位置はトンネル支柱１１０の配設位置とほぼ同じとなり、開口部の平面積は、当該部位に被覆材を全く配設しない場合とほぼ同じとなる。しかしながら、本実施形態のように設定することにより、図７に示したように、開口時においては、直線部２１の一部と係合部２１ａとが、トンネル支柱１１０の配設位置よりも外方に突出した位置となる。従って、たくし上げられた被覆材１２０は、直線部２１の一部及び係合部２１ａ上に寄せ集められるように位置しており、かかる部位がいわばひさしの役目を果たし、開口部の平面積は、従来と比較して小さくなる。このため、開放状態においても雨が浸入し難くなる。
【００２０】
なお、係合部２１ａが回動した際の軌跡の接線に対する圃場面（ＧＬ）からの傾斜角度（θ１）と、被覆材１２０の開閉範囲を支持する部位のトンネル支柱１１０の接線と圃場面（ＧＬ）とのなす傾斜角度（θ２）との間で、ほとんど差がない場合には、ひさしの役目を果たし難い。また、通常、被覆材１２０の上面を覆うように、杭部材（図示せず）等に支持されて、該被覆材１２０の押さえの役目を果たすバンド部材１３０（図１において破線で示す）が配設されるが、θ１がθ２に対してあまりに大きい場合には、バンド部材１３０が押し上げられ、これを支持する杭部材が抜けてしまうおそれがある。直線部２１の長さ、下辺部２２ｃの軸支位置等は、これらの点にも留意して設定することが好ましい。
【００２１】
駆動部材３０は、上記した開閉部材２０に連結され、係合部２１ａを上記した軌跡を描くように上下方向に回動させることができるものであればよい。従って、基端部となる下辺部２２ｃに連結されて回転駆動する機構を用いることもできるが、上記したようなクランク機構を備えた開閉部材２０を用いた場合には、本実施形態のように直線的に伸縮動作する駆動部材３０を用いると、簡易に配設できるため、好ましい。
【００２２】
すなわち、本実施形態の駆動部材３０は、シリンダ３１と、該シリンダ３１内を摺動可能に配設されるピストン３２とを備え、シリンダ３１内に、温度変化に対応して体積変化する駆動材料（図示せず）がシール部材を介して密封されて充填された構造である。駆動材料としては、例えば、アルコール、グリセリンなどの液体や空気などの気体等を用いることができ、温度上昇によって該駆動材料が膨張すると、ピストン３２がシリンダ３１内で押圧されて伸張する。なお、シリンダ３１の外面は黒色に着色されていることが好ましい。太陽熱の吸収性が向上すると共に、曇天時などにおける放熱作用も早いため、温度変化に対する対応性を高めることができる。本実施形態では、駆動部材３０は１本しか用いていないが、ピストン３２の伸縮量を考慮して、複数本連結して用いることもできる。
【００２３】
この駆動部材３０は、上記したように、温度上昇によって駆動材料が膨張し、ピストン３２の位置が変化するものであるが、温度が低下して駆動材料が収縮しても、速やかには復帰しない。従って、駆動材料の収縮時にピストン３２を速やかに復帰させるための復帰用弾性部材３３を設けることが好ましい。復帰用弾性部材３３は、ピストン３２がシリンダ３１内に収容される方向に付勢できるものであれば良く、その取り付け位置や構造は限定されるものではない。
【００２４】
本実施形態においては、駆動部材３０を構成するシリンダ３１の端部に、溝３１１を備えた連結用係合部材３１０を固定している。この連結用係合部材３１０の溝３１１に、上記開閉部材２０の屈曲部２２を構成する上辺部２２ａが挿入される。また、ピストン３２には、先端に該ピストン３２の一部を構成するロッド部３２０が連結されており、該ロッド部３２０のヘッド部３２１は、トンネル支柱１１０の基部付近に設けた取り付けプレート１１１を貫通し、外側（地面側）に突出している。取り付けプレート１１１には、ロッド部３２０の直径よりも大きな径の孔が形成されており、ピストン３２は、該ロッド部３２０を介して、取り付けプレート１１１に対し、揺動可能な遊びをもって連結される。
【００２５】
ロッド部３２０には、取り付けプレート１１１の内側において調整ねじ３２２が螺合される。上記したように、ヘッド部３２１は、取り付けプレート１１１を貫通してその外側に位置しているため、かかる調整ねじ３２２を設けることにより、該調整ねじ３２２が取り付けプレート１１１の内側に当接することで、シリンダ３１に対してピストン３２が相対的に伸張した際に、シリンダ３１の端部に設けた連結用係合部材３１０を後方に移動させる動力が発生する。もちろん、ヘッド部３２１を取り付けプレート１１１の内側に常に当接するように設けることも可能であるが、この場合には、ピストン３２のシリンダ３１に対する最大伸張長さが、そのまま有効伸張長さとなって、連結用係合部材３１０はこの長さ分後方へ移動する。しかしながら、本実施形態のように、ヘッド部３２１を取り付けプレート１１１に貫通させ、上記調整ねじ３２２を設けることにより、連結用係合部材３１０の後方移動量となるピストン３２のシリンダ３１に対する有効伸張長さを調整することができる。
【００２６】
すなわち、図１０（ｂ）に示したように、調整ねじ３２２を、ロッド部３２０に沿って奥行き方向に移動させると、ピストン３２の伸張時には、該調整ねじ３２２が取り付けプレート１１１の内側に当接するまで、ロッド部３２０は取り付けプレート１１１の外側（地面側）に突出していく（図１０（ａ）参照）。そして、調整ねじ３２２が取り付けプレート１１１の内側に当接すると初めて、シリンダ３１に取り付けられた連結用係合部材３１０が後方に後退する。これにより、ロッド部３２０が取り付けプレート１１１の外側に突出する長さ分、連結用係合部材３１０の後方移動量となるピストン３２の有効伸張長さを小さくすることができる。従って、駆動部材３０が温度変化に伴って伸縮動作するものを用いたとしても、このような構成とすることにより、有効伸張長さを調整して、被覆材１２０の開口量を任意に調整することができる。
【００２７】
ここで、本実施形態においては、上記したように、駆動部材３０を構成するシリンダ３１の端部に、溝３１１を備えた連結用係合部材３１０を固定し、この溝３１１に、開閉部材２０の屈曲部２２を構成する上辺部２２ａを挿入して連結している。従って、連結用係合部材３１０の溝３１１から上辺部２２ａを離脱させることにより、駆動部材３０と開閉部材２０との連結状態は容易に解除できる構成である。急な降雨時において、開放していた被覆材１２０を閉じたい場合や、温度が上昇する前に手動で被覆材１２０を開放したい場合には、上記のようにして駆動部材３０と開閉部材２０との連結を解除することにより、容易に手動操作に切り換えることができる。なお、符号１３は、支持部材１０の適宜位置に軸支した棒状部材からなる手動用固定部材である。駆動部材３０と開閉部材２０との連結を解除した状態で、例えば、温度変化に関係なく、被覆材１２０の開放状態を維持したい場合には、かかる手動用固定部材１３を開閉部材２０に引っ掛ける（図９参照）。また、符号１４は、駆動部材３０と開閉部材２０との連結を解除した際に、駆動部材３０を支持部材１０に沿わせて所定の位置で保持するための受け台である（図８参照）。
【００２８】
次に、本実施形態の作用を説明する。
図６に示したように、低温時においては、駆動部材３０を構成するシリンダ３１内に充填された駆動材料が収縮しているため、ピストン３２はシリンダ３１内に収容されており、開閉部材２０の係合部２１ａが圃場面（ＧＬ）付近に位置し、被覆材１２０は閉じられた状態となっている。
【００２９】
気温が上昇するに従って、シリンダ３１内に充填された駆動材料が膨張する。これにより、図７に示したように、調整ねじ３２２が取り付けプレート１１１の内側に当接し、ロッド部３２０の地面側への突出が規制されると、ピストン３２の伸びに対し、シリンダ３１及びその端部に取り付けられた連結用係合部材３１０が後方へと移動する。連結用係合部材３１０が後方へ移動すると、その溝３１１に係合された開閉部材２０の上辺部２２ａ及び斜辺部２２ｂは、下辺部２２ｃを中心として回動する。なお、駆動部材３０は、取り付けプレート１１１にロッド部３２０が遊びをもって連結されているため、開閉部材２０の上辺部２２ａの回動により、連結用係合部材３１０側が上昇するように回動する。このため、上辺部２２ａの回動は円滑になされる。
【００３０】
上辺部２２ａが回動すると、直線部２１の先端に形成された係合部２１ａが上方に回動していく。従って、被覆材１２０は、裾部１２１から上方にたくし上げられていき、本実施形態においては、トンネル支柱１１０の配設位置よりも外方に突出する係合部２１ａ及び直線部２１の先端付近の上に寄せ集められ、換気用の開口部が形成される。本実施形態では、このように、被覆材１２０が係合部２１ａ及び直線部２１の先端付近の上に寄せ集められ、それらがトンネル支柱１１０の配設位置よりも外方に突出していることから、かかる部分がひさしの役割を果たす。従って、開放状態において、急な降雨等となっても、雨等の浸入をかかるひさしによりある程度防ぐことができる。
【００３１】
被覆材１２０の開口範囲、すなわち開閉部材２０の係合部２１ａの回動量を調整する場合には、上記したように、調整ねじ３２２のロッド部３２０上の位置を調整する。例えば、開口範囲を狭めたい場合には、予め、調整ねじ３２２をロッド部３２０に沿って上方向に螺合していく（図１０参照）。これにより、気温上昇によりピストン３２が伸張する際には、該調整ねじ３２２が取り付けプレート１１１の内側に当接するまで、シリンダ３１及び連結用係合部材３１０は後退せず、開閉部材２０の上辺部２２ａは回動しない。調整ねじ３２２が取り付けプレート１１１の内側に当接すると、シリンダ３１及び連結用係合部材３１０が後退し、開閉部材２０の上辺部２２ａが回動して係合部２１ａにより被覆材１２０が、シリンダ３１及び連結用係合部材３１０の後退移動量に対応した範囲で開口する。
【００３２】
一方、気温が低下した場合には、シリンダ３１内の駆動材料が収縮するため、復帰用弾性部材３３によってピストン３２が該シリンダ３１内に収容される。従って、シリンダ３１及び連結用係合部材３１０は、相対的に、ピストン３２が連結されている取り付けプレート１１１に向かって前進移動し、開閉部材２０の上辺部２２ａを上記と逆方向に回動させる。これにより、係合部２１ａが下方に回動するため、たくし上げられた被覆材１２０がもとに戻り、ピストン３２がシリンダ３１内に最も押し込まれた状態となると、裾部１２１が地面（圃場面（ＧＬ））に接し、閉鎖される。
【００３３】
ピストン３２とシリンダ３１との相対位置に拘わらず、被覆材１２０を閉鎖したい場合、例えば、急な降雨等によって、シリンダ３１内に充填された駆動材料の収縮を待っていたのでは、閉鎖するまでに相当の時間を要する場合には、図８に示したように、連結用係合部材３１０を開閉部材２０の上辺部２２ａから取り外す。これにより、駆動部材３０がどのような状態であろうと、被覆材１２０を容易に、手作業で閉鎖することができる。
【００３４】
手作業で被覆材１２０を開放する場合、あるいは、駆動部材３０の駆動によって開放した後、当該開放状態を維持したい場合にも、図９に示したように、連結用係合部材３１０を開閉部材２０の上辺部２２ａから取り外す。そして、手動用固定部材１３を開閉部材２０に引っ掛ける。これにより、駆動部材３０におけるピストン３２とシリンダ３１との相対位置に拘わらず、被覆材１２０を所定の開口量で維持することができる。
【００３５】
図１１〜図１７は、本発明の他の実施形態にかかる換気装置５００を説明するための図である。この換気装置５００は、支持部材５１０に支持される開閉部材５２０と駆動部材５３０とを備えて構成される。
【００３６】
支持部材５１０は、図１２に示したように、平面視で略Ｕ字状のプレート部材からなり、園芸用トンネル１００内にピン部材５１１によって地面に差し込まれて設置される。支持部材５１０の上部には、開閉部材５２０の基端部５２１を回動可能に支持する上部軸受け部５１２が設けられ、該上部軸受け部５１２よりも下方位置には、駆動部材５３０に設けた軸部材５３５を回動可能に支持する下部軸受け部５１３が設けられている（図１３（ｂ）参照）。本実施形態では、上部軸受け部５１２を孔とし、下部軸受け部５１３は溝として形成しているが、これに限定されるものではないことはもちろんである。但し、下部軸受け部５１３は、軸部材５３５を取り外すことにより、被覆材１２０を手動で開閉することができるため、溝として形成すると取り外しに便利である。
【００３７】
開閉部材５２０は、図１２に示したように、棒状部材を屈曲形成してなり、直線部５２２と、該直線部５２２の後部に一体に形成され、直線部５２２に略直交する方向に屈曲された基端部５２１と、該直線部５２２の前部に一体に形成され、直線部５２２に略直交する方向に伸びる連結部５２３と、被覆材１２０の閉鎖時において該連結部５２３の下方に下端部５２４ｃが位置するように、連結部５２３から略Ｕ字状に曲げられて設けられる係合部５２４とを備えてなる。
【００３８】
基端部５２１が上記のように支持部材５１０の上部軸受け部５１２に挿通されて連結され、直線部５２２が被覆材１２０方向に伸びる向きで配置され、係合部５２４が被覆材１２０の裾部１２１に係合される（図１４（ａ）参照）。係合部５２４は、図１５に示したように、裾部１２１に重ね合わせられた上で、略半管状の止め材５２４ａにより該裾部１２１に連結される。なお、裾部１２１の横方向（長手方向）に沿った開口幅を大きく確保したい場合には、図１６に示したように、所定長さの棒部材５２４ｂなどを係合部５２４に連結し、止め材５２４ａにより、該棒部材５２４ｂと裾部１２１とを所定幅に亘って連結することもできる。
【００３９】
駆動部材５３０は、図１３（ｂ）及び図１４（ｂ）に示したように、シリンダ５３１とピストン５３２を有する上記実施形態と同様のものである。ピストン５３２の端部には係合用の溝５３３ａを備えた連結用係合部材５３３が固定されており、該連結用係合部材５３３の溝に、開閉部材５２０の連結部５２３が係合される。シリンダ５３１の端部には、軸方向に沿って取り付けロッド５３４が突設されている。そして、取り付けロッド５３４を挿通可能な貫通孔が形成された軸部材５３５が、該取り付けロッド５３４に直交するように設けられており（図１３（ｃ）参照）、この軸部材５３５が上記のように支持部材５１０の下部軸受け部５１３に回動可能に支持される。なお、連結用係合部材５３３は、開閉部材５２０の連結部５２３との連結に当たって、溝５３３ａではなく、図１７（ａ），（ｂ）に示したように、連結用係合部材５３３として、開閉部材５２０の連結部５２３が挿通される係合用の貫通孔５３３ｂを形成したものであってもよい。但し、取り付け時や取り外し時の便宜から、溝状に形成することが好ましい。
【００４０】
また、取り付けロッド５３４には、図１３（ｃ）に示したように、上記実施形態と同様に調整ねじ５３６が螺合されており、調整ねじ５３６の螺合位置を調整することにより、調整ねじ５３６が軸部材５３５に当接するまで、シリンダ５３１に対してピストン５３２が相対的に伸張しても、連結用係合部材５３３を園芸用トンネル１００の外側に突出する方向に向かって移動させる動力が発生せず、調整ねじ５３６が軸部材５３５に当接して始めて連結用係合部材５３３の位置が変化する。これにより、上記実施形態と同様に、ピストン５３２のシリンダ５３１に対する有効伸張長さを調整でき、被覆材１２０の開口量を制御することができる。
【００４１】
次に、本実施形態の作用を説明する。
図１４（ａ）に示したように、低温時においては、駆動部材５３０を構成するシリンダ５３１内に充填された駆動材料が収縮しているため、ピストン５３２はシリンダ５３１内に収容されており、開閉部材５２０の係合部５２４が圃場面（ＧＬ）付近に位置し、被覆材１２０は閉じられた状態となっている。
【００４２】
気温が上昇するに従って、シリンダ５３１内に充填された駆動材料が膨張すると、まず、調整ねじ５３６が軸部材５３５の内側に当接し、次いで、ピストン５３２の伸張に従って、その端部に取り付けられた連結用係合部材５３３が園芸用トンネル１００の外側に突出する方向へ移動する。連結用係合部材５３３がかかる方向へ移動すると、その溝５３３ａに係合された開閉部材５２０の連結部５２３を押圧する力が働く。これにより、開閉部材５２０は基端部５２１を中心として上方に逃げる方向に回動し、被覆材１２０を裾部１２１から上方にたくし上げていく。この際、開閉部材５２０の係合部５２４の下端部５２４ｃが、被覆材１２０の閉鎖時において該連結部５２３の下方に位置するように形成されているため、図１４（ａ）のように、側面から見た際に、連結部５２３がトンネル支柱１１０にほぼ沿った軌跡で位置が変化していくのに対し、係合部５２４の下端部５２４ｃは、圃場面ＧＬに対する傾斜角度がそれよりも緩やかで、開口量が大きくなるに従ってトンネル支柱１１０の外方への突出量が増すような軌跡を描く。従って、本実施形態においても、係合部５２４上に寄せ集められた被覆材１２０が、ひさしの役割を果たし、開放状態において急な降雨等における雨等の浸入をある程度防ぐ効果を有する。
【００４３】
一方、気温が低下した場合には、シリンダ５３１内の駆動材料が収縮するため、復帰用弾性部材５３７によってピストン５３２が該シリンダ５３１内に収容され、連結用係合部材５３２もこれに伴って支持部材５１０に向かって移動し、開閉部材５２０の連結部５２３を上記と逆方向に回動させる。これにより、係合部５２４が下方に回動し、たくし上げられた被覆材１２０がもとに戻っていく。
【００４４】
また、ピストン５３２とシリンダ５３１との相対位置に拘わらず、急な降雨等により、被覆材１２０を閉鎖したい場合には、連結用係合部材５３３を開閉部材５２０の連結部５２３から取り外すか、軸部材５３５を支持部材５１０の下部軸受け部５１３から取り外すか、あるいは、両方を取り外す（図１３（ａ）参照）。これにより、駆動部材３０がどのような状態であろうと、被覆材１２０を容易に、手作業で閉鎖することができる。
【００４５】
なお、本発明は上記した実施形態に限定されるものではない。例えば、上記した各実施形態におけるシリンダ３１，５３１とピストン３２，５３２の配設方向を逆向きにすることも可能である。また、上記した駆動部材３０，５３０は、温度変化に追随して伸縮動作するが、他の駆動源により伸縮動作するものであってもよい。但し、換気装置１，５００は、園芸用トンネル内の温度を下げることを主たる目的とするため、温度変化に追随して自動的に換気できる構成とすることが合理的である。
【００４６】
また、例えば、上記した他の実施形態において、図１８に示したように、支持部材５１０を園芸用トンネル１００の外側であって、被覆材１２０の裾部１２１に隣接して配設し、開閉部材５２０の直線部５２１及び駆動部材５３０を園芸用トンネル１００の長手方向にほぼ沿って設けることもできる。この場合でも、開閉部材５２０の係合部５２４は、トンネル支柱１１０に傾斜に沿うのではなく、その外方位置を上下に移動する軌跡を描くため、上記他の実施形態と全く同様の作用、効果を奏する。このような構成とした場合には、支持部材５１０等が、園芸用トンネル１００の外側に位置するため、作物に接触したり、栽培面積を制限したりすることがない等の利点もある。なお、支持部材５１０は、駆動部材５３０により開閉部材５２０が円滑に動作する限り、上記以外の他の場所に設置することも可能である。
【図面の簡単な説明】
【００４７】
【図１】図１は、本発明の一の実施形態にかかる換気装置を取り付けた園芸用トンネルを示す概略斜視図である。
【図２】図２は、上記実施形態にかかる換気装置をトンネル支柱に取り付けた状態を示す側面図である。
【図３】図３は、上記実施形態にかかる換気装置の右側面図である。
【図４】図４は、上記実施形態にかかる換気装置の平面図である。
【図５】図５は、上記実施形態にかかる換気装置の左側面図である。
【図６】図６は、被覆材により全閉されている状態の作用を説明するための図である。
【図７】図７は、換気装置が駆動して被覆材が開口していく状態の作用を説明するための図である。
【図８】図８は、手作業により被覆材を閉じる際の作用を説明するための図である。
【図９】図９は、手作業により被覆材を開口状態で維持する際の作用を説明するための図である。
【図１０】図１０（ａ）は、調整ねじにより駆動部材の伸縮量を調整した際の換気装置を示す図であり、図１０（ｂ）は、（ａ）のＡ部詳細図である。
【図１１】図１１は、本発明の他の実施形態にかかる換気装置を取り付けた園芸用トンネルを示す概略斜視図である。
【図１２】図１２は、上記他の実施形態にかかる換気装置の支持部材及び開閉部材を説明するための図である。
【図１３】図１３（ａ）は、上記他の実施形態にかかる換気装置の駆動部材の支持部材への取り付け工程を説明するための図であり、（ｂ）は、開閉部材と駆動部材を支持部材に取り付けた状態を示す平面図であり、（ｃ）は、（ｂ）のＢ部拡大図である。
【図１４】図１４（ａ）は、上記実施形態にかかる換気装置の作用を説明するための図であり、（ｂ）は、被覆材が開口した際の換気装置の状態を示す図である。
【図１５】図１５は、開閉部材の係合部に被覆材の裾部を連結するための一手段を説明するための図であり、（ａ）は全閉時の状態を、（ｂ）は全開時の状態をそれぞれ示す。
【図１６】図１６は、開閉部材の係合部に被覆材の裾部を連結するための他の手段を説明するための図であり、（ａ）は全閉時の状態を、（ｂ）は全開時の状態をそれぞれ示す。
【図１７】図１７は、駆動部材に設ける連結用係合部材の他の態様を説明するための図であり、（ａ）は平面図を、（ｂ）は側面図をそれぞれ示す。
【図１８】図１８は、換気装置を園芸用トンネルの外側に配置した態様を示す図である。
【符号の説明】
【００４８】
１，５００  換気装置
１０，５１０  支持部材
１３  手動用固定部材
２０，５２０  開閉部材
２１，５２１  直線部
２１ａ，５２４  係合部
２２ａ  上辺部
２２ｃ  下辺部
５２１  基端部
３０，５３０  駆動部材
３１，５３１  シリンダ
３２，５３２  ピストン
３３，５３７  復帰用弾性部材
３１０，５３３  連結用係合部材
３２０  ロッド部
３２１  ヘッド部
１００  園芸用トンネル
１１０  トンネル支柱
１２０  被覆材
１２１  裾部
【図１】
2004254689.tif 000003
【図２】
2004254689.tif 000004
【図３】
2004254689.tif 000005
【図４】
2004254689.tif 000006
【図５】
2004254689.tif 000007
【図６】
2004254689.tif 000008
【図７】
2004254689.tif 000009
【図８】
2004254689.tif 000010
【図９】
2004254689.tif 000011
【図１０】
2004254689.tif 000012
【図１１】
2004254689.tif 000013
【図１２】
2004254689.tif 000014
【図１３】
2004254689.tif 000015
【図１４】
2004254689.tif 000016
【図１５】
2004254689.tif 000017
【図１６】
2004254689.tif 000018
【図１７】
2004254689.tif 000019
【図１８】
2004254689.tif 000020